(57)【要約】  【課題】本発明は、ＲＦＩＤラベルシート及びＲＦＩＤラベルに関し、剥離紙を不要として資源の無駄をなくすと共に物品への貼着後の剥がれを困難とし、また、物品への貼付作業性を良好とさせることを目的とする。  【解決手段】ＲＦＩＤラベルシート１１において、第１基材１２と第２基材１３とが第１接着領域２１Ａ及び第２接着領域２２Ａ間でＲＦＩＤインレット１５が設けられたインレットシート１４を備えて重ね接着され、第１剥離接着領域２１Ｂ及び第２剥離接着領域２２Ｂの接着面で互いに接着剤層３１Ａと剥離剤層３２Ｂとを接着させ、剥離剤層３１Ｂと接着剤層３２Ａとを接着させた構成とする。  【選択図】  図２
2010026934.tif 000002
【特許請求の範囲】
【請求項１】
物品に貼付されることで当該物品に関する情報について非接触でリーダライタと通信可能とされるＲＦＩＤラベルシートであって、
接着剤層が形成される第１接着領域、及び、接着剤層と剥離剤層とが交互に形成される第１剥離接着領域を備える第１基材と、
前記第１基材と重ね接着されるものであり、接着剤層が形成される前記第１接着領域に対応する第２接着領域、及び、前記第１剥離接着領域の剥離剤層に対応する接着剤層と当該第１剥離接着領域の接着剤層に対応する剥離剤層とが交互に形成される第２剥離接着領域を備える第２基材と、
前記第１基材の第１接着領域及び前記第２基材の第２接着領域の間に設けられ、少なくともアンテナ部及びＩＣチップで構成されるＩＣモジュールが形成されるＲＦＩＤインレットと、
を有することを特徴とするＲＦＩＤラベルシート。
【請求項２】
請求項１記載のＲＦＩＤラベルシートより形成されるＲＦＩＤラベルであって、
前記第１基材の第１剥離接着領域部分と前記第２基材の第２剥離接着領域部分とを剥離して、当該第１剥離接着領域の接着剤層、及び、当該第２剥離接着領域の接着剤層により折り曲げ状態で前記物品への貼付の形態とされることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤を塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させ、物品表面に対して確実に接着させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で、又はアンテナの一部を折り立てることや（特許文献１，２）、ＲＦＩＤラベルシートを中空四角柱に折り込んで立設させること（特許文献３）が提案されている。
【０００４】
また、ＲＦＩＤインレットの部分を物品の金属表面から離隔するために、ＲＦＩＤインレットが形成されたラベル基体の一部を、当該ＲＦＩＤインレットを挟み込むように折り込んで台紙に仮着しておき、当該ラベル基体を台紙より分離し、当該被着体上に折り部分を立設させて貼付することによりＲＦＩＤインレットを離隔させること（特許文献４）も提案されており、さらに、ＲＦＩＤインレットの部分と物品の金属表面との間に空間領域を形成させるように折り曲げた形状とさせることも提案されている（特許文献５）。
【０００５】
ところで、ＲＦＩＤラベルとは全く関係なく、その目的を異にするが、貼着紙の一方の接合面に剥離剤を有間隔に塗膜して剥離剤のある部分とない部分とを形成させ、同他方の接合面には前記一方の接合面において剥離剤のある部分を剥離剤のない部分とし、剥離剤のない部分を剥離剤のある部分とするように剥離剤を有間隔に塗膜形成して両紙を逆呼応の塗膜部として仮圧着した両面の全紙を貼着可能とした貼着紙が知られている（特許文献６）。
【０００６】
【特許文献１】特開２００７−１２２５４２号公報
【特許文献２】特開２００７−１６４３９９号公報
【特許文献３】特開２００７−１７２３６９号公報
【特許文献４】特開２００７−２７１７０７号公報
【特許文献５】特開２００７−２６４８６８号公報
【特許文献６】特公昭４５−０３４４０１号公報
【発明の開示】
【発明が解決しようとする課題】
【０００７】
しかしながら、特許文献１〜５のように、ＲＦＩＤインレット部分やアンテナの一部を折り立て、立設させて被貼着体に貼着させることはＲＦＩＤインレットを当該被貼着体（物品）の表面と離隔させることができるが、貼着するために形成させた粘着剤には剥離紙を貼り付けることが必然である。また、特に特許文献１，４では被貼着体（物品）への貼着部分が一方だけであり、貼着後に横方向からの外力によっては剥がれ易いという問題がある。さらに、特許文献５では、物品にＲＦＩＤラベルを貼付する際にＲＦＩＤインレット部分を立体的に浮き立たせるように組み立てなければならず、貼付作業性が好ましくないという問題がある。
【０００８】
そこで、本発明は上記課題に鑑みなされたもので、剥離紙を不要として資源の無駄をなくすと共に物品への貼着後の剥がれを困難とし、また、物品への貼付作業性を良好とするＲＦＩＤラベルシート及びＲＦＩＤラベルを提供することを目的とする。
【課題を解決するための手段】
【０００９】
上記課題を解決するために、請求項１の発明では、物品に貼付されることで当該物品に関する情報について非接触でリーダライタと通信可能とされるＲＦＩＤラベルシートであって、接着剤層が形成される第１接着領域、及び、接着剤層と剥離剤層とが交互に形成される第１剥離接着領域を備える第１基材と、前記第１基材と重ね接着されるものであり、接着剤層が形成される前記第１接着領域に対応する第２接着領域、及び、前記第１剥離接着領域の剥離剤層に対応する接着剤層と当該第１剥離接着領域の接着剤層に対応する剥離剤層とが交互に形成される第２剥離接着領域を備える第２基材と、前記第１基材の第１接着領域及び前記第２基材の第２接着領域の間に設けられ、少なくともアンテナ部及びＩＣチップで構成されるＩＣモジュールが形成されるＲＦＩＤインレットと、を有する構成とする。
【００１０】
請求項２の発明では、請求項１記載のＲＦＩＤラベルシートより形成されるＲＦＩＤラベルであって、前記第１基材の第１剥離接着領域部分と前記第２基材の第２剥離接着領域部分とを剥離して、当該第１剥離接着領域の接着剤層、及び、当該第２剥離接着領域の接着剤層により折り曲げ状態で前記物品への貼付の形態とされる構成である。
【発明の効果】
【００１１】
本発明によれば、第１基材と第２基材とがＲＦＩＤインレットを備えて重ね接着され、第１剥離接着領域及び第２剥離接着領域の接着面で互いに接着剤層と剥離剤層とを接着させた状態のＲＦＩＤラベルシートの構造とし、また、第１基材の第１剥離接着領域部分と第２基材の第２剥離接着領域部分とを剥離して、表出された当該第１剥離接着領域の接着剤層、及び、当該第２剥離接着領域の接着剤層により折り曲げ状態で物品への貼付の形態のＲＦＩＤラベルの構造とすることにより、物品への接着のための接着層に剥離紙を不要としていることから資源の無駄をなくすことができると共に、剥離により表出した第１及び第２剥離接着領域の各接着剤層でＲＦＩＤインレットの両側で物品に貼着させる形態とさせることから貼着後の剥がれを困難とさせることができ、また、第１及び第２剥離接着領域の部分を剥がして折り曲げるだけで物品への貼付形態とさせることから貼付作業性を良好とさせることができるものである。
【発明を実施するための最良の形態】
【００１２】
以下、本発明の最良の実施形態を図により説明する。本発明では、物品への貼付以前の形態がＲＦＩＤラベルシートであり、物品に貼付させるための形態がＲＦＩＤラベルである。
【００１３】
図１に本発明に係るＲＦＩＤラベルシートの構成図を示すと共に、図２に図１のＲＦＩＤラベルシートの作製説明図を示す。図１において、ＲＦＩＤラベルート１１は、第１基材１２及び第２基材１３で構成され、当該第１基材１２と第２基材１３との間にＲＦＩＤインレット１５が形成されたインレットシート１４が配置される。上記第１基材１２及び第２基材１３は例えば材質として紙材、フィルム材である。また、インレットシート１４は、アンテナ部及びＩＣチップで構成されるＩＣモジュールのＲＦＩＤインレット１５が形成されたもので従前のものと同様のものである。
【００１４】
すなわち、上記第１基材１２は、図２（Ａ）において裏面が示され、第１接着領域２１Ａと第１剥離接着領域２１Ｂの各領域に区分され、第１接着領域２１Ａには接着剤が塗布されて接着剤層３１が形成される。また、第１剥離接着領域２１Ｂには、接着剤が塗布された接着剤層３１Ａと剥離剤が塗布された剥離剤層３１Ｂが交互に形成される。接着剤は天然ラテックスなどの公知のものであり、剥離剤においてもシリコーン系等の公知のものである。
【００１５】
また、上記第２基剤１３は、図２（Ｂ）において表面が示され、第１基材１２と重ね接着されるものであり、第１接着領域２１Ａに対応する第２接着領域２２Ａと第１剥離接着領域２１Ｂに対応する第２剥離接着領域２２Ｂの各領域に区分され、第２接着領域２２Ａには上記同様の接着剤が塗布されて接着剤層３２が形成される。また、第２剥離接着領域２２Ｂには、第１剥離接着領域２１Ｂの剥離剤層３１Ｂに対応する接着剤層３２Ａと当該第１剥離接着領域２１Ｂの接着剤層３１Ａに対応する剥離剤層３２Ｂとが交互に形成される。
【００１６】
そして、図２（Ｃ）に示すように、上記第１基材１２の第１接着領域３１及び上記第２基材１３の第２接着領域３２の間にＲＦＩＤインレット１５が形成されたインレットシート１４が接着され、また、第１剥離接着領域２１Ｂ及び第２剥離接着領域２２Ｂの部分においては、互いに、接着剤層３１Ａに剥離剤層３２Ｂが接着され、剥離剤層３１Ｂに接着剤層３２Ａが接着されることで図１のＲＦＩＤラベルシート１１となるものである。
【００１７】
そこで、図３に、図１のＲＦＩＤラベルシートからの物品に貼付させる形態のＲＦＩＤラベルの形成説明図を示す。図３（Ａ）に示すＲＦＩＤラベルシート１１は断面を示したもので、図３（Ｂ）に示すように、当該ＲＦＩＤラベルシート１１の接着されている第１剥離接着領域２１Ｂ及び第２剥離接着領域２２Ｂを剥離する。この場合、第１剥離接着領域２１Ｂの接着剤層３１Ａは第２剥離接着領域２２Ｂの剥離剤層３２Ｂに接着されており、第２剥離接着領域２２Ｂの接着剤層３２Ａは第１剥離接着領域２１Ｂの剥離剤層３１Ｂに接着されていることから容易に剥離することができる。
【００１８】
そして、図３（Ｃ）に示すように、互いに第１接着領域２１Ａ及び第２接着領域２２Ａまで剥離させて折り曲げることにより、剥離させた部分の第１剥離接着領域２１Ｂと第２剥離接着領域２２Ｂにはそれぞれ接着剤層３１Ａ，３２Ａが表出されることで、ＲＦＩＤラベル１１Ａとさせるものである。
【００１９】
このＲＦＩＤラベル１１Ａは、その表出された接着剤層３１Ａ，３２Ａで、対象の物品に貼付することにより、インレットシート１４（ＲＦＩＤインレット１５）がそれぞれの第１接着領域２１Ａ及び第２接着領域２２Ａの領域で立設状態とされて物品表面より離隔され、その両側で当該物品に貼付されることとなる。この貼付形態では、横方向（第１接着領域２１Ａ及び第２接着領域２２Ａの面側）からの何れの外力で剥がれが困難となるものである。
【００２０】
このように、物品への接着のための接着剤層３１Ａ，３２Ａに剥離紙を不要としていることから資源の無駄をなくすことができると共に、剥離した第１及び第２剥離接着領域２１Ｂ，２２Ｂの各接着剤層３１Ａ，３２Ａでインレットシート１４（ＲＦＩＤインレット１５）の両側で物品に貼着させる形態であることから貼着後の剥がれを困難とさせることができ、また、第１及び第２剥離接着領域２１Ｂ，２２Ｂの部分を剥がして折り曲げるだけで物品への貼付形態とさせることから貼付作業性を良好とさせることができるものである。
【産業上の利用可能性】
【００２１】
本発明のＲＦＩＤラベルシート及びＲＦＩＤラベルは、物品管理等のために物品情報が担持されるラベルの製造、使用に利用可能である。
【図面の簡単な説明】
【００２２】
【図１】本発明に係るＲＦＩＤラベルシートの構成図である。
【図２】図１のＲＦＩＤラベルシートの作製説明図である。
【図３】図１のＲＦＩＤラベルシートからの物品に貼付させる形態のＲＦＩＤラベルの形成説明図である。
【符号の説明】
【００２３】
１１                        ＲＦＩＤラベルシート
１１Ａ                      ＲＦＩＤラベル
１２                        第１基材
１３                        第２基材
１４                        インレットシート
１５                        ＲＦＩＤインレット
２１Ａ，２２Ａ              接着領域
２１Ｂ，２２Ｂ              剥離接着領域
３１，３１Ａ．３２，３２Ａ  接着剤層
３１Ｂ，３２Ｂ              剥離剤層
【図１】
2010026934.tif 000003
【図２】
2010026934.tif 000004
【図３】
2010026934.tif 000005